(57)【特許請求の範囲】
【請求項１】
タイミング信号により決定された時、第一センサーから第一入力信号を受けるように構成された第一センサーカプラーであって、前記第一入力信号は、第一生理学的パラメータの非脈動型の直流（ＤＣ）成分に対応し、且つ、組織の光学的励起に基づく、という第一センサーカプラーと、
前記第一センサーカプラーに結合されたプロセッサであって、前記プロセッサが前記第一入力信号に基づいた出力信号を生成するように構成され、前記第一生理学的パラメータが前記出力信号内で符号化され、前記出力信号は前記第一入力信号と異なるというプロセッサと、
遠隔装置に前記出力信号を通信するように構成された出力カプラーと、を含み、
前記タイミング信号は、前記遠隔装置に結合された第二センサーと同期されることを特徴とする装置。
【請求項２】
前記第一センサーカプラーは電気的コネクタと光学的コネクタの少なくとも１つを含むことを特徴とする請求項１記載の装置。
【請求項３】
前記第一センサーカプラーと前記出力カプラーの少なくとも１つは無線受信機又は無線送受信機の少なくとも１つを含むことを特徴とする請求項１又は２記載の装置。
【請求項４】
第二センサーからの第二入力信号を受信するように構成される第二センサーカプラーであって、前記第二入力信号が第二生理学的パラメータに対応するという第二センサーカプラーをさらに含み、ここで、前記プロセッサが前記第二センサーカプラーに結合され、前記出力信号は前記第二入力信号に基づくことを特徴とする請求項１乃至請求項３のいずれか１項に記載の装置。
【請求項５】
前記プロセッサに結合されるユーザ操作可能なスイッチをさらに含むこと特徴とする請求項１乃至請求項４のいずれか１項に記載の装置。
【請求項６】
前記プロセッサがタイミング信号を生成するように構成されること特徴とする請求項１乃至請求項５のいずれか１項に記載の装置。
【請求項７】
前記プロセッサは増幅器、アナログデジタルコンバーター、デジタルアナログコンバーター、マルチプレクサー、及び、フィルターの少なくとも１つを含むことを特徴とする請求項１乃至請求項６のいずれか１項に記載の装置。
【請求項８】
前記出力カプラーは電気的コネクタと無線送受信機の少なくとも１つを含むことを特徴とする請求項１乃至請求項７のいずれか１項に記載の装置。
【請求項９】
前記出力信号が視覚的表示装置の描画のために構成された計算値で符号化されることを特徴とする請求項１乃至請求項８のいずれか１項に記載の装置。
【請求項１０】
第一センサーと第一タイミング信号を交換する工程であって、前記第一センサーは前記第一タイミング信号と相互関連する組織の光学的特性に対応する検出信号を提供するように構成される工程と、
前記第一タイミング信号により決定された時、前記検出信号を受信する工程と、
出力信号を生成するように前記検出信号を処理する工程であって、前記出力信号は前記組織のパラメータに対応し、前記パラメータは前記検出信号の非脈動型の直流（ＤＣ）成分に基づき、前記検出信号と異なる前記出力信号は、組織の酸素化の測定値に対応するパラメータである工程と、
遠隔装置に前記出力信号を通信する工程と、を含むことを特徴とする方法。
【請求項１１】
前記第一タイミング信号を交換する工程は、前記第一センサーに対する送信又は受信の少なくとも１つを含むことを特徴とする請求項１０記載の方法。
【請求項１２】
前記第一タイミング信号の前記交換に基づく第二遠隔センサーに関連して第二タイミング信号を交換する工程をさらに含むことを特徴とする請求項１０又は１１記載の方法。
【請求項１３】
前記検出信号の受信又は通信の少なくとも１つは無線通信を含むことを特徴とする請求項１０乃至１２のいずれか１項に記載の方法。
【請求項１４】
前記検出信号を処理する工程は、増幅、デジタルへの変換、アナログへの変換、多重化、そしてフィルタリングの少なくとも１つを含むことを特徴とする請求項１０乃至１３のいずれかの１項に記載の方法。
【発明の詳細な説明】
【背景技術】
【０００１】
（優先権の主張）
このドキュメントは、参照によって本明細書に組み込まれる、クリスラーセン他、「遠隔表示を持つオキシメトリー」と題して2009年6月5日に出願された米国仮特許出願61/184,522号（代理人整理番号2898.058PRV）に対して、米国特許法１１９条第（ｅ）項に基づいて、優先権の利益を主張する。  
【０００２】
オキシメトリーのための技術は十分ではない。オキシメトリーは、組織の光学的特性に基づいて決定できる。しかし、それらの特性を解析するシステムは、満足する結果を提供していない。
【図面の簡単な説明】
【０００３】
図面において、それらは尺度に注意を払う必要がなく、同じ符号は、同じ構成要素を異なる図において表すであろう。異なる接尾文字を持つ同じ符号は、同じ構成要素の異なる例を示すであろう。図面は、本明細書において述べられている複数の実施形態を、限定する目的でなく例として一般的に説明する。
【図１】図１は、１つの実施例に係るオキシメトリーシステムのブロック図を示す。
【図２】図２は、１つの実施例に係るオキシメトリーシステムの一部のブロック図を示す。
【図３】図３は、１つの実施例に係るオキシメトリーシステムの一部のブロック図を示す。
【図４】図４は、１つの実施例に係るオキシメトリーシステムの一部のブロック図を示す。
【図５】図５は、１つの実施例に係る方法のフローチャートを示す。
【発明を実施するための形態】
【０００４】
複数のオキシメータセンサーは１つのモジュールに結合されることができる。モジュールは、結合されたセンサーのための光信号の励起及び検出を調整し又は同期させるように構成されることができる。モジュールはまた、センサーから受信した信号に対応するデータを生成するアルゴリズムを実装するように構成されるプロセッサを含むことができる。モジュールは、データ生成に使用する較正データ、識別データ、そして、係数を格納するためのメモリを含むことができる。モジュールは、遠隔装置に結合されることができる。遠隔装置は、ディスプレイ、プリンタ、格納装置又はネットワークを含む、又は、結合されることができる。
【０００５】
１つの実施例において、センサーはメモリを含む。センサーメモリは、モジュールへの情報の提供に用いるための較正データ、識別データ、係数、又は他のデータを格納するために使用されることができる。
【０００６】
図１は、１つの実施例に基づくオキシメトリーシステム１００のブロック図を示す。システム１００は、センサー１０５、センサー２０５、モジュール１４０Ａ、及び、遠隔装置１２０を含む。
【０００７】
示した実施例において、センサー１０５とセンサー２０５は、１つ又はそれ以上の組織パラメータの光学的検出のために構成される。しかし、他の実施例において、センサー１０５とセンサー２０５が、例えば、熱、圧力、及び他の検出手段のような非光学的手段を用いてパラメータを測定するために構成されることができる。
【０００８】
センサー１０５は、光検知器１０７Ａと光検知器１０７Ｂを含む。検知器１０７Ａと検知器１０７Ｂは、特定波長の光に応答する光検出器を含むことができる。センサー１０５は、さらに、エミッタ１０６Ａとエミッタ１０６Ｂを含む。エミッタと検知器の配置は、組織内に浸透する選択された深さを提供するように構成され、特定の波長感度における使用のために調整されることができる。センサー２０５はまた、検知器２０７Ａ、エミッタ２０６Ａ、エミッタ２０６Ｂ、及び、検知器２０７Ｂを含む。
【０００９】
センサーは、任意の数の検知器と任意の数のエミッタの組み合わせを含むことができる。エミッタは、２、３又は４つの異なる波長のような任意の数の波長を有する光を放射するように構成されることができる。
【００１０】
示した実施例において、センサー１０５とセンサー２０５は、患者又は組織の異なる場所に配置されるように構成される。
【００１１】
センサー１０５は、リンク１１０によってモジュール１４０Ａに結合され、そして、センサー２０５は、リンク２１０によってモジュール１４０Ａに結合される。リンク１１０とリンク２１０のいずれも、有線接続又は無線結合を含むことができる。１つの実施例において、リンク１１０とリンク２１０のいずれかは、大よそ１８”長さの有線接続を含む。１つの実施例において、リンク１１０とリンク２１０のいずれかは、光ファイバ素子又は無線周波数通信リンクを含むことができる。
【００１２】
モジュール１４０Ａは、リンク１２５によって遠隔装置１２０に結合される。リンク１２５は、有線又は無線通信チャネルを含むことができる。例えば、リンク１２５は、大よそ１２’長さの電気的有線回線を含むことができ、又は、無線周波数通信リンク、あるいは、赤外線通信リンクを含むことができる。
【００１３】
示した実施例において、遠隔装置１２０は、データ表示と手動入力の受信との両方に適した表示スクリーン又はタッチスクリーンを含み得るスクリーン１１５を含む。
【００１４】
遠隔装置１２０は、アプリケーション特有の装置を含むことができる。例えば、特定モジュールは、センサーから完全処理されたデータを生成し、そして、外部雑音源から事実上影響を受けない信号レベルでそのデータを通信するように構成されることができる。１つの実施例によれば、モジュールと遠隔装置間の通信されるデータは、デジタル化され、そして、オキシメトリー値で符号化される。このように、遠隔装置は、更なる処理を必要とせずに、オキシメトリー値を受信、表示又は格納するように構成されることができる。モジュールは、局所的なオキシメトリーに関する計算値又は他の生理学的なパラメータで完全に処理され、符号化されるデジタル信号を提供することができる。遠隔装置は、受信した情報を表示し、そして、更なる処理（較正又は増幅など）を必要とせずに、データの可視描写をはたすことができる。
【００１５】
図２は、１つの実施例に基づくオキシメトリーシステムのモジュール１４０Ｂのブロック図を示す。モジュール１４０Ａと比較して、モジュール１４０Ｂは、入力部２２０（センサーカプラー２２５を有する）、格納部２３０、プロセッサ２３５、そして、出力カプラー２４２を含む。モジュール１４０Ｂは、いくつかの又は全ての他の構成要素が取付けられるハウジングを含むことができる。
【００１６】
示した実施例において、入力部２２０は１つのセンサーカプラーを含むが、１つ以上のセンサーカプラーも予想される。センサーカプラー２２５は、無線周波数（ＲＦ）送受信機、光カプラー又は電気的コネクタのうちの任意の少なくとも１つを含むことができる。１つの実施例において、入力部２２０又はセンサーカプラー２２５のいずれかは、特定の結合されたセンサー（センサー１０５又はセンサー２０５など）からの識別情報を識別するように構成される。例えば、センサーカプラー２２５が電気的コネクタを含めば、コネクタの機能は、接続されたセンサーのアイデンティティを登録するように関与し得る。カプラーは、ここで使用されるように、別個のコネクタ素子を持たない導体又は光リンクを含むこともできる。
【００１７】
格納部２３０は、１つ又はそれ以上のスイッチ（デュアルインラインパッケージスイッチアレイなど）、手動スイッチ又はデジタルメモリを含むことができる。格納部２３０は、あるアルゴリズムを実行するための較正情報、数学的係数、データ、そして、命令の格納部を提供することができる。センサー（センサー１０５又はセンサー２０５など）、プロセッサ２３５又は他のリソース（手動入力装置など）は、格納部２３０に保持されている内容を提供することができる。
【００１８】
プロセッサ２３５は、アナログ回路又はデジタル回路を含むことができる。１つの実施例において、プロセッサ２３５は、本明細書内に記述されている方法を実行するように構成されるデジタルプロセッサを含む。１つの実施例において、プロセッサ２３５は、アナログデジタルコンバーター（ＡＤＣ）、増幅器、フィルター、デジタルアナログコンバーター（ＤＡＣ）又は他の回路を含む。１つの実施例において、プロセッサ２３５は、タイミング信号を生成し、タイミング信号に関してモニタするように構成される。タイミング信号は、通信の同期、及び、システムのさまざまな素子に関する他の機能の同期に使用されることができる。
【００１９】
出力カプラー２４２は、ＲＦ送受信機、光カプラー又は電気的カプラーを含むことができる。１つの実施例において、モジュール１４０Ｂは、再充電可能なパワーサプライを含み、そして、出力カプラー２４２は、再充電可能なパワーサプライを管理する回路を含む。
【００２０】
モジュール１４０Ｂの他の素子も、例えば、パワーサプライ、再充電部、表示装置、そして、ユーザ入力装置を含むことが検討される。
【００２１】
図３と図４は、各々がセンサーに結合される複数のモジュールを含む例を示す。特定のモジュールが２つのセンサーに結合される図１に対比して、図３と図４のモジュールは各々が１つのセンサーに結合される。
【００２２】
組織内への光の放射に関するタイミング、そして、センサーによる光検出に関するタイミングは、多くの異なる方法で調整されることができる。例えば、特定のモジュールは、そのモジュールに結合されている１つ又は複数のセンサーに関するタイミングを管理することができる。１つの実施例において、センサーは、マスタ及びスレーブの役割を調停するように構成され、そして、タイミングは、さまざまなセンサーが結合されるモジュールに対して独立に管理される。１つの実施例において、モジュールは、さまざまなセンサーに役割を割り当てる。
【００２３】
１つの実施例において、ホスト（又は表示）装置は、ホストに接続されている複数のモジュールに関するタイミングを管理する。タイミングは、ホスト又はモジュール自身によって同期されることができる。
【００２４】
１つの実施例において、センサーは、自己同期する。１つの実施例において、ホストは、センサーのための同期を提供する。この場合において、ホストは、マスタ同期信号を送信し、オキシメータモジュールを表示装置に接続する中継ケーブルが、各モジュールが個々のタイミング信号を受信するようにその信号を分割し調整する。１つの実施例において、モジュールは、中継ケーブルを通じて、他の接続されたモジュールへマスタ同期信号を生成して提供する。
【００２５】
同期は、さまざまなセンサーに関する光放射、さまざまなセンサーに関するデータ検出、モジュール間のデータ通信、モジュールと遠隔装置との間のデータ通信、又は、センサーとモジュールとの間のデータ通信の協調について言及することができる。
【００２６】
ここで扱われているように、クロストークによる干渉の発生を減少又は除去するためのさまざまなセンサーの時間的調整に言及することができる。例えば、第一センサーのエミッタは、複数のセンサーの応用の複数の検知器のいずれかに検出される光信号を作り出すことができる。このように、複数のセンサーに関する同期がない状態においては、誤った酸素化データが生成され得る。同期は、この文脈において、特定の検知器が特定の選択されたエミッタに対応する出力信号を提供していて、他のエミッタに対応する信号を提供していないことを保証するのに役立つ。
【００２７】
同期はまた、特定のモジュールに結合される複数のセンサー間又は特定のホスト（又は遠隔装置）に結合される複数のモジュール間の通信の協調に言及することができる。同期は、時間ドメイン、周波数ドメインにおけるものであり、又は他のパラメータに基づくものであり得る。
【００２８】
このように、同期は、第二モジュールの動作に対して協調的なやり方で、第一モジュールの動作に言及することができる。第一と第二モジュールは、モジュールを管理する制御信号を提供するホストを持つ、マスタスレーブ関係における又はピア・ツー・ピア方式における協調を行うように構成されることができる。モジュールは、無線通信チャネル又は有線通信チャネルを通して、互いに又はホストと通信することができる。
【００２９】
さらに、同期は、第二センサーの動作に対して協調的なやり方で第一センサーの動作に言及することができる。第一と第二センサーは、センサーを管理する制御信号を提供するモジュール又はホストを持つ、マスタスレーブ関係における又はピア・ツー・ピア方式における協調を行うように構成されることができる。センサーは、無線通信チャネル又は有線通信チャネルを通して、互いに通信し、モジュールと通信し、又はホストと通信することができる。
【００３０】
１つの実施例において、遠隔装置は、特定のモジュールへ同期信号を提供する。同期信号は、遠隔装置へデータを報告するときに各モジュールが通信することができる時間的割当てを表わす。対応する時間のウィンドウの間に、各モジュールは、遠隔装置へ格納したデータ又はリアルタイムデータを送ることが可能となる。
【００３１】
１つの実施例において、モジュールは、システム内の他のモジュールに対して独立に同期を管理するように構成される。このように、モジュールは、アルゴリズムを実行して、遠隔装置とのデータ交換のために利用できる時間を決定する。これらの時間の間に、モジュールは、遠隔装置と通信することができ、他の時間において、モジュールは、通信から排除される。
【００３２】
同様に、センサーは、システム内の他のセンサーに対して独立に同期を管理するように構成されることができる。このように、センサーは、アルゴリズムを実行し、モジュールとのデータ交換のために利用できる時間を決定する。これらの時間の間に、センサーは、モジュールと通信することができ、他の時間において、センサーは、通信から排除される。センサーは、この例において、利用できる時間を決定するために実行可能な命令を持つ回路又はプロセッサを含む。
【００３３】
１つの実施例において、遠隔装置は、複数のモジュールへ同期情報を提供する同期部を含む。同期部は、遠隔装置に統合されることができ、又は、同期部は、通信チャネル（有線又は無線）を通じてプロセッサ（コンピュータなど）と通信する状態にあるスタンドアローン装置であることができる。
【００３４】
同期は（センサー、モジュール、専用同期部又は遠隔装置によって管理される）、システムの１つのブランチがシステムの第二ブランチの動作に干渉しないように保証する。このように、同期を提供する素子は、協調通信又は他の動作における調停者としての機能を果たす。
【００３５】
図３は、１つの実施例に係るオキシメトリーシステムの部分３００のブロック図を示す。部分３００は、センサー１０５に結合されるモジュール１４０Ｃとセンサー２０５に結合されるモジュール２４０Ｃを含む。この例において、モジュール１４０Ｃと２４０Ｃは、センサー機能の同期を制御する。特に、モジュール１４０Ｃは、矢印３６５で示される周期的なタイミング信号を生成して配信し、そして、モジュール２４０Ｃは、矢印３６０で示される周期的なタイミング信号を生成して配信する。異なるセンサー（ここでは、センサー１０５と２０５）に提供された様々なタイミング信号の応答において、センサーは、異なる素子に関する干渉を減少するように構成された方法で一定の機能を実行する。例えば、モジュール１４０Ｃと２４０Ｃからのタイミング信号への応答において、センサー２０５とセンサー１０５は、組織を経由する選択された光経路上で光放射と光検出を交互に行う。センサー２０５は、矢印３５０に対応する経路によって示されるように同期データを提供し、そして、センサー１０５は、矢印３５５に対応する経路によって示されるように同期データを提供する。モジュール１４０Ｃとモジュール２４０Ｃは、有線又は無線通信チャネルで遠隔装置（この図に示されていない）に結合される。有線通信チャネルの一例はトランクケーブルを含む。
【００３６】
図４は、１つの実施例に係るオキシメトリーシステムの部分４００のブロック図を示す。部分４００は、それぞれ、センサー１０５、センサー２０５に結合されるモジュール１４０Ｄ、モジュール２４０Ｄを含む。この例において、モジュール１４０Ｄは、モジュール１４０Ｄの測定及び通信のための時間を決めるために使われるマスタ同期信号を生成し、そして、またモジュール２０４Ｄに、このモジュールの計測及び通信のための時間を決めるために送信される。例えば、モジュール１４０Ｄは、矢印４６０に示されるタイミング信号を提供する。一定のタイムフレーム内でモジュール２４０Ｄに表れる同期信号がない場合には、モジュール２４０Ｄは、他に接続されるモジュールが無いと判断し、それ故に、モジュール２４０Ｄは、自分のマスタ信号を生成し、そして、それを任意の他の接続されるモジュールに送信する。
【００３７】
図５は、１つの実施例に係る方法５００のフローチャートを示す。示されている例では、５０５において、例えば、モジュール１４０Ｃからタイミング信号が送信される。５１０において、モジュール２４０Ｃが特定のタイムフレーム内にタイミング信号を受信しないときには、モジュール２４０Ｃは、５１５において、自律的なタイミングで続行する。このように、モジュール２４０Ｃは、５２５に示されるように同システム内の他のモジュールに周期的なタイミング信号を提供し、そして、５３０において、処理を続ける。モジュール２４０Ｃが特定のタイムフレーム内にタイミング信号を受信すれば、５２０に示されるように、同期モードに入る。同期タイミングの間、モジュール２４０Ｃは、タイミング信号をモニタし続ける（５２４において示されるように）。このように、全ての接続されているモジュールは、モジュール１４０Ｃ、２４０Ｃ又はマスタとして動作する任意の他のモジュールによって生成される周期的なタイミング信号をモニタし（５２５において示されるように）、そして、５３０によって示されるように、センシング機能を実行し続ける。
【００３８】
附記
モジュールは、有線又は無線接続によって１つ又はそれ以上のセンサーに結合されることができる。１つの実施例において、モジュールは、２メータより短い長さを持つ有線接続によってセンサーに結合される。例えば、大よそ１８”の導電体が１つタイプのセンサーをモジュールに結合するために使用されることができる。１つの実施例において、モジュールは、光伝導体素子によってセンサーに結合される。さらに、モジュールは、有線又は無線通信リンクを用いて遠隔装置と通信することができる。遠隔装置へのリンクは、任意の長さであることができ、例えば、１２フィートなどである。
【００３９】
１つの実施例において、センサーは、測定された光学的パラメータに基づく信号を生成するように構成される。１つの実施例において、センサーは、信号処理を提供せずに、生の信号をモジュールに配信する。モジュールは、タイミング信号をセンサーへ提供する。タイミング信号は、光エミッタの励起と検知器による光信号の検出とを制御するためにセンサーによって使用される。１つの実施例において、モジュールによって提供されるタイミング信号は、周期的なパルスである。
【００４０】
１つの実施例において、モジュールは、遠隔装置によって使用される全てのオキシメトリーの解析を提供し、そして、遠隔装置は、表示装置としてのみ機能する。１つの実施例において、モジュールは、いくつかのオキシメトリー解析機能を提供する。この例において、遠隔装置は、部分的に処理されたデータを受信し、そして、更に処理した後に結果を表示する。
【００４１】
特定のモジュールに任意の数のセンサーが結合されることができる。たとえば、１つのセンサーがモジュールに結合されることができる。他の実施例においては、２つ又はそれ以上のセンサーが特定のモジュールに結合され、例えば、局所的なオキシメトリーに使用される。モジュールは、１つのセンサー（又は全てのセンサー）にタイミング信号を提供することができ、そして、１つのセンサーは、マスタの役割を果たし、そして、全ての他のセンサーはスレーブとして機能することができる。１つの実施例において、モジュールは、センサーに自己管理することを許可する。そのように、モジュールは、タイミング信号を供給したセンサーとその確認をモニタするように構成されることができ、センサーは、モジュールとは独立にタイミング情報を交換する。
【００４２】
１つの実施例において、モジュールがセンサーからのタイミング信号を受信に失敗すれば、モジュールは、センサーが同期できるタイミング信号を提供する。
【００４３】
特定の遠隔装置に任意の数のモジュールが結合されることができる。例えば、１つのモジュールが遠隔装置に結合されることができる。他の実施例においては、２つ又はそれ以上のモジュール（各々が任意の数のセンサーを持つ）が遠隔装置に結合される。
【００４４】
遠隔装置は、ハンドヘルドオーガナイザー（個人用の携帯情報端末）、携帯電話、ネットブックコンピュータ、ラップトップコンピュータ、デスクトップコンピュータ又は他の装置のような多機能装置であることができる。
【００４５】
センサーは、オキシメトリーセンサーを含むことができ、そして、モジュールはオキシメトリーハードウェアとして表現されることができる。さまざまな例において、モジュールは、アナログ回路、デジタル回路、ソフトウェア、そして、ファームウェアの任意の組み合わせを含む。例えば、モジュールは、前置増幅器又は電力増幅器のような増幅器を含むことができる。モジュールは、アナログ信号、デジタル信号（二進数状態を持つ）又は離散信号（任意の数の離散状態を持つ）で符号化された出力を遠隔装置に提供することができる。
【００４６】
モジュールは、様々な機能を実行するように構成されたさまざまな構成要素を有することができる。１つの実施例において、モジュールは、増幅器又はアナログプロセッサのようなアナログ回路を含む。１つの実施例において、モジュールは、デジタル回路（論理ゲートを含む）又はデジタルプロセッサを含む。１つの実施例において、モジュールは、アナログデジタルコンバーター（ＡＤＣ）、デジタルアナログコンバーター（ＤＡＣ）又はマルチプレクサー／デマルチプレクサーを含む。
【００４７】
さらに、モジュールは、遠隔装置と独立に出力を提供することができる。例えば、モジュールは、測定されたパラメータに基づいて動作する１つ又はそれ以上の光学的素子又は光素子を含むことができる。１つの実施例においてモジュールの表示画面は、測定されたパラメータの光学的インジケータを提供する。１つの実施例において、モジュールは、測定されたパラメータ又は失敗状態を示す可聴又は触感出力を提供する。
【００４８】
１つの実施例において、モジュールは、オキシメトリーデータ（又はオキシメトリー情報）を遠隔装置に提供する。
【００４９】
モジュールは、結合されているセンサーを識別するように構成されることができる。センサーは、例えば、エミッタと検知器の特定の構成を含むことができる（そして、特定の組織に使用するように調整される）。このように、モジュールは、センサーのタイプを特定し、そのタイプのセンサーをサポートするための適切なタイミング情報と通信サービスを提供することができる。１つの実施例において、モジュールは、ユーザ操作可能な入力（キーパッド又はタッチ感応画面など）を含み、そして、ユーザはセンサー識別情報を入力するように促される。センサー識別情報は、モジュールのメモリ内に格納され、そして、遠隔装置に提供される出力信号を較正するために使用される。
【００５０】
１つの実施例において、モジュールは、外部制御素子を持たず、そして、サービスが開始されるときに（例えば、センサー信号に検出されるなど）、自律的動作するように構成される。１つの実施例において、モジュールは、特定のモニタ機能のためにユーザにモジュールを構成することを許可するユーザ操作可能なスイッチ又は他の入力装置を含む。１つの実施例において、モジュールは、特定の測定機能のために、較正データのユーザ選択を許容する、又は、ユーザがモジュールパラメータを調整することを可能にする、複数のスイッチを含む。センサーは、通信チャネルを通じてモジュールにセンサー自身の個々の較正データを提供することができる。
【００５１】
１つの実施例において、モジュールは、電池又は他の携帯用の電源によって電力供給される。１つの実施例において、モジュールは、遠隔装置との電気的結合又は電力供給されたセンサーとの電気的結合によって電力供給される。モジュールは、内部電池パワーサプライに役立つ再充電回路を含むことができる。
【００５２】
様々な機能がモジュールによって実行されることができる。例えば、モジュールは、遠隔装置に部分的又は完全に処理されたデータを提供するように構成される構成要素を含むことができる。完全に処理されたデータの場合において、遠隔装置は、ダム端末として機能し、そして、１つの実施例において、可視表示を提供する。部分的処理されたデータの場合において、遠隔装置は、処理を完了するように調整され、そして、表示又は他のサービスを提供する。
【００５３】
１つの実施例において、モジュールは、選択された構成要素が取付けられるハウジングを含む。１つの実施例において、モジュールは、導電体ワイヤの一部内に製造され、そして、オーバーモールド部分に保護される。１つの実施例において、モジュールは、ファンアウトケーブルの一部として製造され又は別個のハウジングとして製造される。
【００５４】
１つの例は、遠隔装置（表示モニタなど）に計測結果を送信する任意の数のオキメータ（又はセンサー）を有するオキシメータシステムを含む。モジュールは、タイミング信号又は制御信号をセンサーに提供する。タイミング信号又は制御信号が、１つの又はそれ以上の光エミッタの動作を制御するためにセンサーによって使用される。センサーはまた、測定されたパラメータに対応する信号を生成するように構成される。測定されたパラメータは、光学的データ、熱データ、圧力データ又はそのような他の物理的パラメータを含むことができる。１つの実施例において、センサーは、光検知器を用いて光学的データを生成する。モジュールは、いくつか又は全ての信号解析を実行し、部分的に又は完全に処理された出力を提供するように構成され得る。その出力は、１つの実施例において、表示モニタを含む、遠隔装置に提供される。
【００５５】
さらに、モジュールは、警告状態を信号で伝えるように構成されることができる。警告状態は、設備故障又は規定されたウィンドウを超えた測定の逸脱を示し得る。１つの実施例において、警告状態は、表示のために遠隔装置と通信される。
【００５６】
１つの実施例において、モジュールは、複数のセンサーに結合されることができる。センサーは、１つのセンサーが他のセンサーの光信号と干渉する可能性を減少するようにちょうどよいときに同期させられることができる。
【００５７】
モジュールは、組織からの酸素飽和度測定結果を提供するように構成されることができる。さらに、モジュールは、パルスオキシメトリーの指標又は局所的なオキシメトリーの指標を提供するように構成されることができる。パルスオキシメトリーは、血液の酸素飽和度の指標を提供し、そして、１つの実施例によれば、脈動型構成要素の光吸収の比率から算出される。このように、パルスオキシメトリーは、測定信号の交流（ＡＣ）成分を用いて動脈血酸素化を反映する。局所的なオキシメトリーは、度々、組織オキシメトリーとして参照され、測定信号の直流（ＤＣ）成分から算出され、そして、測定部位での、局所的又は組織の酸素化を反映する。ＤＣ信号は、非変調であり、且つ、非脈動型であり、そして、本主題の内容において、組織の生理学のパラメータに対応する。局所的なオキシメトリーは、近赤外分光法を用いて測定されることができる。
【００５８】
１つの実施例において、モジュールは、センサーを自己同期させるように構成される。そのように、モジュールへ制御信号を提供せず、そして、１つ又はそれ以上のモジュール内で制御、測定、そして、解析が発生する。遠隔装置は、表示モニタとして動作する。
【００５９】
センサーは、１つの実施例によれば、選択された較正データを符号化するように構成される。較正データは、センサーのオンボードのメモリに格納されるデータとして、電気的構成要素の値（抵抗値など）として、又は、対応するコネクタによって認識される機械的特長（有線チャネル通信の例において）として、符号化され得る。較正データは、センサーの設置のための特定の部位を示す部位特定データを含むことができる。部位は、耳たぶ、指、前額部又は他の組織部位であり得る。較正データは、アプリケーション特有のデータを含み得る。１つのアプリケーションは、脳に関する組織酸素化を表す脳のオキシメトリーを参照することができる。さらに、１つのアプリケーションは、指又はつま先に使用するために適切なパルスオキシメトリーを含むことができる。較正データはまた、特定のセンサーに特有のデータを含み得る。１つの例は、エミッタのための波長、検知器のための感度情報、又は、センサーの製造中に発生し得る他の変数を示すデータを含む。
【００６０】
モジュールは、センサーからのデータを格納するように、又は、処理されたデータを格納するように、構成されることができる。処理されたデータは、オキシメトリーデータ、温度データ、パルスデータ又は他の測定されたデータを含むことができる。モジュールは、データを格納し、そして、トリガリングイベントで遠隔装置にそのデータを送信するように構成されることができる。トリガリングイベントは、動作可能な通信チャネルの検出、電気的接続の確立、特定時間の経過、測定パラメータと格納されている値との比較、電池の充電状態、又は、他のイベントを含むことができる。
【００６１】
１つの実施例において、モジュールは、遠隔装置に複数のデータストリームを提供する。複数のデータストリームは、アーカイブ目的のため又は後の解析のために適切なオキシメトリーデータの実時間に近い測定を提供する速いストリームを含む。さらに、複数のデータストリームは、モニタ上に表示するために適切な遅いストリームを含む。遅いストリームのデータは、値をより遅く変化させ、そして、データの時間的平滑化に対応する。
【００６２】
上述の詳細な説明は、詳細な説明の一部を形成する添付の図面の参照を含む。図面は、説明の目的で、発明が実施され得る特定の実施形態を示す。これらの実施形態はまた、ここでは「実施例」として参照されている。このような実施例は、図示され説明されたものに加えて、さらに素子を含むことができる。しかしながら、本発明者はまた、図示され説明された素子だけを提供する実施例を検討する。
【００６３】
本ドキュメントに参照されている全ての発行物、特許、そして、特許ドキュメントは、参照によって個々に組み込まれたかのように、それらの全体が参照により本明細書に組み込まれる。本ドキュメントと参照によって組み込まれたそれらのドキュメントとの間の不一致の使用が生じた場合には、組み込まれた参照における使用は、本ドキュメントのそれの補足として考慮されるべきであり、矛盾した不一致に関しては、本ドキュメントの使用が支配的である。
【００６４】
本ドキュメントでは、特許ドキュメントに共通して見られるように、用語“ａ”又は“ａｎ”が１つ又は１つ以上を含み、任意の他の例又は“ａｔ ｌｅａｓｔ ｏｎｅ”若しくは“ｏｎｅ ｏｒ ｍｏｒｅ”の使用から独立している。本ドキュメントにおいて、用語“ｏｒ”は、他が示されていないかぎり、“Ａ  ｏｒ  Ｂ”は“Ａ  ｂｕｔ  ｎｏｔ  Ｂ”、 “Ｂ  ｂｕｔ  ｎｏｔ  Ａ”、そして、“Ａ  ａｎｄ  Ｂ”を含むような非排他的ｏｒとして参照して使用されている。添付の特許請求の範囲において、用語“ｉｎｃｌｕｄｉｎｇ”と“ｉｎ  ｗｈｉｃｈ”は、それぞれ、用語“ｃｏｍｐｒｉｓｉｎｇ”と“ｗｈｅｒｅｉｎ”と同等のプレインイングリッシュとして使用される。また、下記の特許請求の範囲において、用語“ｉｎｃｌｕｄｉｎｇ”と“ｉｎ  ｗｈｉｃｈ”はオープンエンド、つまり、請求項内でそのような用語の後にリストされたものの他に要素を含むシステム、装置、物品又は処理が未だその請求項の範囲内とみなされる。さらに、下記の特許請求の範囲において、用語“ｆｉｒｓｔ”、“ｓｅｃｏｎｄ”、“ｔｈｉｒｄ”などは、単にラベルとして使われ、それらの対象に数的な要求を課するものではない。
【００６５】
本明細書に述べられている方法の実施例は、少なくとも部分的に機械又はコンピュータによって実行されることができる。いくつかの実施例は、上述の実施例で述べられる方法を実行するように電子装置を構成することができる命令を持つ符号化されたコンピュータ読み出し可能媒体又は機械読み出し可能媒体を含むことができる。そのような方法の実装は、マイクロコード、アセンブリ言語コード、高レベル言語コード又は類似するものなどの、コードを含むことができる。そのようなコードは、様々な方法の実行のためのコンピュータ読み出し可能な命令を含むことができる。コードは、コンピュータプログラム製品の一部を形成し得る。さらに、コードは、実行中又は他の時間で、１つ又はそれ以上の揮発性又は非揮発性のコンピュータ読み出し可能な媒体に具体的に格納され得る。これらのコンピュータ読み出し可能な媒体は、これらに限定しないが、ハードディスク、リムーバブル磁気ディスク、リムーバブル光学的ディスク（例えば、コンパクトディスクとデジタルビデオディスク）、磁気カセット、メモリカード又はスティック、ランダムアクセスメモリ（ＲＡＭ）、リードオンリーメモリ（ＲＯＭ）、そして、類似するものを含み得る。
【００６６】
上記の記載は説明することを目的としていて、限定することを意図していない。例えば、上述の実施例（又はその１つ以上の見地）は、互いに組み合わせて使われるであろう。例えば、上述の記載を精査した当業者よって、他の実施例は使われることができる。要約は、米国特許法施行規則１．７２条第（ｂ）項に準じて提供され、読者が開示されている技術の本質を早く確認することを可能にする。これは、特許請求の範囲の範囲又は意味を解釈又は制限するために使われるべきではないという理解で提出されている。また、上述の詳細な説明において、開示を合理化するように、様々な特徴が一緒にグルーピングされていたであろう。これは、特許請求されていない開示された特徴は任意のクレームにとって必須であることを意図しているとして解釈されるべきではない。むしろ、発明の主題は、特定の開示された実施例の全ての特徴未満にある。故に、各請求項が個々の実施例のようにそれ自身に基づくので、下記の特許請求の範囲は、本明細書で詳細な説明に組み込まれる。発明の範囲は、その特許請求の範囲に与えられる権利と同等な全範囲とともに、添付された特許請求の範囲を参照して決められるべきである。
【図１】
0005814230.tif 000002
【図２】
0005814230.tif 000003
【図３】
0005814230.tif 000004
【図４】
0005814230.tif 000005
【図５】
0005814230.tif 000006